(57)【要約】【課題】本発明はロール紙の巻芯として用いられている重ね巻き紙管を原料とした適性に富む家畜用敷料を提供する。【解決手段】上記家畜用敷料は、複数条の帯紙を接着剤を介して重ね巻きした紙管を原料とし、該紙管を破砕して得られた破砕紙片４Ａ，４Ｂ，４Ｃが紙管の厚みの途中で強制剥離された粗面５から成る表面を有する薄片から成る。該破砕紙片４Ａ，４Ｂ，４Ｃには厚み方向に付形された凹凸形状を付与する。又破砕紙片４Ａ，４Ｂ，４Ｃの表面には植物油塗布膜を形成する。【選択図】        図６
2007228813.tif 000002
【特許請求の範囲】
【請求項１】
複数条の帯紙を接着剤を介して重ね巻きした紙管を原料とし、該紙管を破砕して得られた破砕紙片から成る家畜用敷料であって、該破砕紙片が紙管の厚みの途中で強制剥離された粗面から成る表面を有する薄片から成ることを特徴とする家畜用敷料。
【請求項２】
上記破砕紙片が厚み方向に付形された凹凸形状を有することを特徴とする請求項１記載の家畜用敷料。
【請求項３】
上記破砕紙片に植物油を塗布したことを特徴とする請求項１記載の家畜用敷料。
【発明の詳細な説明】
【技術分野】
【０００１】
本発明は馬、牛、豚、羊、犬、猫、ねずみ類等の家畜の寝床として用いられる家畜用敷料に関し、特にロール巻き紙の巻芯として用いられる重ね巻き紙管を原料として用いた家畜用敷料に関する。
【背景技術】
【０００２】
従来、上記家畜の敷料としては藁（米藁、麦藁）や木粉が主に用いられている。然しながら藁は年間を通じて安定に入手し難く、国内産では価格が高騰している傾向にあり、又藁の表面は吸水性に欠ける。
【０００３】
又木粉は家畜の体に付着しやすく、粉の舞い上がりと塵埃を発生する問題を有している。
【発明の開示】
【発明が解決しようとする課題】
【０００４】
本発明は上記藁や木粉に代わる、従って上記藁や木粉の問題点を有効に解決する家畜用敷料、特に用紙の原反となるロール巻き紙の巻芯として用いられる紙管を原料として用いた家畜用敷料を提供するものである。
【課題を解決するための手段】
【０００５】
本発明は複数条の帯紙を接着剤を介して重ね巻きした重ね巻き紙管を原料とし、該重ね巻き紙管を破砕して得られた破砕紙片から成る家畜用敷料であって、該破砕紙片が紙管の厚みの途中で強制剥離された粗面から成る表面を有する薄片から成る家畜用敷料である。
【０００６】
上記破砕紙片には波形形状やエンボス付形等の、厚み方向に付形された凹凸形状を付与し、クッション効果と保温効果を付与することができる。
【０００７】
又上記破砕紙片には植物油を塗布し、家畜の皮膚や足の爪を保護する皮脂の吸収を抑制し、或いは積極的に植物油を皮膚や体毛、足の爪に供給する構成を採ることができる。
【発明の効果】
【０００８】
上記の通り、本発明に係る家畜用敷料は複数条の帯紙を接着剤を介して重ね巻きした重ね巻き紙管を原料とし、該重ね巻き紙管を破砕して得られた破砕紙片から成る家畜用敷料であって、該破砕紙片が紙管の厚みの途中で強制剥離された粗面から成る表面を有する薄片から成る。
【０００９】
上記態様の破砕紙片は一定の厚みに敷設することによって適度なクッション性と保温性を得ることができ、該クッション性と保温性は上記強制剥離された粗面から成る表面によって更に増長される。
【００１０】
又強制剥離された粗面から成る表面は糞尿の水分を吸収する効果を破砕紙片に付与することができ、木粉のような舞い上がり、家畜の体への付着を生じない。
【００１１】
何よりも、廃材である重ね巻き紙管を利用するので非常に安価に提供でき、省資源に寄与する。
【発明を実施するための最良の形態】
【００１２】
以下本発明を実施するための最良の形態を図１乃至図８に基づき説明する。図１、図２に示すように、用紙の原反となるロール紙の巻芯として用いられている紙管１は複数条の帯紙２を接着剤３を介して重ね巻きした構造を有し、一般的には強度付加のため、複数条の帯紙２を軸線方向へピッチをずらしてスパイラル状に重ね巻きした構造を有する。
【００１３】
本発明に係る家畜用敷料は上記重ね巻き紙管１を原料とし、図３乃至図６に示すように、該重ね巻き紙管１を破砕して得られた破砕紙片４から成り、該破砕紙片４は紙管１の厚みの途中で強制剥離された粗面５から成る表面を有する薄片から成る敷料である。
【００１４】
図３、図４に示すように、第１の態様の破砕紙片４Ａは最外層又は最内層の巻き帯紙２から形成された第１破砕紙片であり、該破砕紙片４Ａは一方の表面が比較的平滑な平滑面８を有し、他方の表面が接着界面から強制剥離されることによって形成された粗面５を有する。
【００１５】
又は第１破砕紙片４Ａは、巻き帯紙２間を強力に接着する接着剤３によって各多層抄き巻き帯紙２の抄き合わせ界面から強制的に層間剥離され、これにより形成された粗面５を有する。
【００１６】
又第２の態様の破砕紙片４Ｂは中層の巻き帯紙２から形成された第２破砕紙片であり、該破砕紙片４Ｂは両表面が接着界面から強制剥離されることによって形成された粗面５を有する。
【００１７】
又は第２破砕紙片４Ｂは、巻き帯紙２間を強力に接着する接着剤３によって各多層抄き巻き帯紙２の抄き合わせ界面から強制的に層間剥離され、これにより形成された粗面５を破砕紙片４Ｂの両表面に有する。
【００１８】
第３の態様の破砕紙片４Ｃも同様に抄き合わせ界面からの層間剥離によって形成された粗面５を両表面に有する。
【００１９】
又上記第１乃至第３破砕紙片４Ａ、４Ｂ、４Ｃは接着剤３を介して複数枚重なり合った貼り合わせ破砕紙片を含む。
【００２０】
上記破砕紙片４Ａ、４Ｂ、４Ｃは鋭利な刃物で裁断したものではなく、引き裂き力を与えて破砕した紙片であり、ハンマークラッシャーの如き破砕機を用い、略１ｃｍ〜１５ｃｍ程度の大きさに破砕する。
【００２１】
上記粗面５は上記強制剥離によって、帯紙２のパルプ繊維が破断されて形成され、繊維が毛羽立つ起毛面を含む。
【００２２】
図６Ａ，Ｂに破線で示すように、上記破砕紙片４（４Ａ、４Ｂ、４Ｃ）はその大きさが大きい程、円筒状の重ね巻き紙管１が具有する曲率に近い弧形形状（反り曲がり形状）１１を残存する。破砕紙片４がこの弧形形状１１を具有することによってクッション効果と保温効果が向上され、敷料としての適性を増長する。
【００２３】
具体例として図７Ａに示すように、上記破砕紙片４には全面に無数のエンボス９を形成することができる。又は図７Ｂに示すように、上記破砕紙片４に波形曲げ形状１０を付与する。
【００２４】
即ち破砕紙片４に波形曲げ形状１０やエンボス９等の、厚み方向に付形された凹凸形状６を付与し、クッション効果と保温効果を増長することができる。
【００２５】
又図８に示すように、上記破砕紙片４にはサラダ油、椿油、ヤシ油、パーム油等の植物油、或いはヤシ油やパーム油に由来するグリセリン等の植物油を塗布し、破砕紙片４の表面に植物油塗布膜７を形成する。
【００２６】
勿論、上記植物油塗布膜７は破砕紙片４に、図７に示すエンボス９付形又は波形曲げ形状１０に代表される凹凸形状６を与えつつ、上記植物油塗布膜７を施す構成を併用することができる。
【００２７】
上記植物油は破砕紙片４が家畜の皮膚や爪を保護する皮脂を吸収するのを抑制し、或いは積極的に植物油を皮膚や爪に供給することができる。
【００２８】
上記破砕紙片４は一定の厚みに敷設することによって適度なクッション性と保温性を得ることができ、該クッション性と保温性は上記強制剥離された粗面５から成る表面によって更に増長される。又強制剥離された粗面５から成る表面は糞尿の水分を吸収する効果を破砕紙片４に富加する。
【００２９】
他方廃材である重ね巻き紙管１を利用するので非常に安価に提供でき、省資源に寄与する。
【図面の簡単な説明】
【００３０】
【図１】スパイラル状に重ね巻きした紙管の側面図。
【図２】上記紙管の横断面図。
【図３】上記重ね巻き紙管から得られる破砕紙片の破砕態様を説明する同紙管の拡大断面図。
【図４】上記重ね巻き紙管から得られる破砕紙片の破砕態様を説明する同紙管の側面図。
【図５】破砕紙片の平面図。
【図６】Ａは第１破砕紙片の断面図、Ｂは第２，第３砕紙片の断面図。
【図７】Ａはエンボス付形した破砕紙片の断面図、Ｂは波形曲げした破砕紙片の断面図。
【図８】表面に植物油塗布膜を形成した破砕紙片の断面図。
【符号の説明】
【００３１】
１…重ね巻き紙管、２…帯紙、３…接着剤、４…破砕紙片、４Ａ…第１破砕紙片、４Ｂ…第２破砕紙片、４Ｃ…第３破砕紙片、５…粗面、６…凹凸形状、７…植物油塗布膜、８…平滑面、９…エンボス、１０…波形曲げ形状、１１…弧形形状。
【図１】
2007228813.tif 000003
【図２】
2007228813.tif 000004
【図３】
2007228813.tif 000005
【図４】
2007228813.tif 000006
【図５】
2007228813.tif 000007
【図６】
2007228813.tif 000008
【図７】
2007228813.tif 000009
【図８】
2007228813.tif 000010